(57)【要約】【課題】塵埃がハウジング内の接点部へ侵入するのを確実に防止でき、塵埃に起因した導通不良等の不具合を防止すること。【解決手段】一方が開口し底面に接点部を有するハウジング１０に揺動操作可能にステム２５，２６収納し、蓋体３４でハウジング開口部を覆うと共にステム２５，２６の操作端側を挿通口３５からハウジング外へ突出させる。防塵部材２２を接点部とステム２５，２６との間に配置して接点部上を覆った状態とする。防塵部材２２は保持部材２４で保持するが、前記ステム２５，２６をハウジング１０内に組み込む際に当該ステム２５，２６の下端に設けた押圧片２９〜３２が接点部を押圧可能な位置に配置されるように当該ステム２５，２６を位置決めするものとした。【選択図】図１
2006134792.tif 000002
【特許請求の範囲】
【請求項１】
一方が開口し底面に接点部を有するハウジングと、前記ハウジングに揺動操作可能に収納されたステムと、前記接点部と前記ステムとの間に配置され前記接点部上を覆う防塵部材と、前記防塵部材を保持する保持部材と、ハウジング開口部を覆うと共に前記ステムの操作端側を挿通口からハウジング外へ突出させた蓋体と、を具備することを特徴とする多方向入力装置。
【請求項２】
前記保持部材は、前記ステムをハウジング内に組み込む際に当該ステムの下端に設けた押圧端部が前記接点部を押圧可能な位置に配置されるように当該ステムを位置決めすることを特徴とする請求項１記載の多方向入力装置。
【請求項３】
前記保持部材は、前記ステムの揺動端部と係合して回転を規制する回り止め部を有することを特徴とする請求項１又は請求項２記載の多方向入力装置。
【請求項４】
前記保持部材をハウジング内壁に沿って設け、前記保持部材とハウジング内壁との接触部にて防塵部を形成したことを特徴とする請求項１から請求項３のいずれかに記載の多方向入力装置。
【請求項５】
前記防塵部材を可撓性シートで形成したことを特徴とする請求項１から請求項４のいずれかに記載の多方向入力装置。
【請求項６】
前記防塵部材は、外縁部に粘着部が形成された粘着材付きシートからなり、該粘着部をハウジング内壁に接着することを特徴とする請求項１から請求項５のいずれかに記載の多方向入力装置。
【請求項７】
前記保持部材で前記防塵部材の外縁部をハウジング内壁に圧接したことを特徴とする請求項１から請求項６のいずれかに記載の多方向入力装置。
【請求項８】
一方が開口し底面に接点部を有するハウジングと、前記ハウジングに揺動操作可能に収納されたステムと、前記接点部と前記ステムとの間に配置され前記接点部上を含むハウジング底面及びハウジング側壁内面の全てを覆う防塵部材と、ハウジング開口部を覆うと共に前記ステムの操作端側を挿通口からハウジング外へ突出させ、前記防塵部材の外縁部をハウジング開口部との間に挟み込む蓋体と、を具備することを特徴とする多方向入力装置。
【請求項９】
前記防塵部材は、前記ステムの揺動端部と係合して回転を規制する回り止め部を有することを特徴とする請求項８記載の多方向入力装置。
【請求項１０】
前記接点部は、ハウジング底面に形成した固定接点と、前記固定接点上に載置し押圧により反転する可動接点ばねとを組み合わせた構造を有することを特徴とする請求項１から請求項９のいずれかに記載の多方向入力装置。
【請求項１１】
前記ステムは、揺動入力用の第１ステムとセンタープッシュ用の第２ステムとの二重ステム構造であることを特徴とする請求項１から請求項１０のいずれかに記載の多方向入力装置。
【発明の詳細な説明】
【技術分野】
【０００１】
本発明は、ステムを揺動操作可能にハウジング内に収納する多方向入力装置に関する。
【背景技術】
【０００２】
従来より、ステムの揺動により傾倒方向に応じた切換え信号を出力する多方向入力スイッチが知られている（例えば、特許文献１参照）。特許文献１に記載されている多方向入力スイッチは、図７に示すように、断面Ｕ字形をなすハウジング１の内底部に接点部２，３が設けられており、これら接点部上に各接点部を個別に押圧する第１ステム４及び第２ステム５が設置されている。一方、ハウジング１の開口部に被せる蓋体６には、開口が設けられており、この開口に第１ステム４を通すことにより外部から揺動操作可能となっている。また、第１ステムの中心部に上下方向へ貫通するガイド孔が形成されており、該ガイド孔に第２ステムを挿通することにより外部からセンタープッシュ可能となっている。
【特許文献１】特開平１０−１８８７３８号公報
【発明の開示】
【発明が解決しようとする課題】
【０００３】
しかしながら、上記従来の多方向入力スイッチは、蓋体６のステム挿通用の開口からハウジング内に塵埃が侵入する可能性がある。また、蓋体６とハウジング１との合わせ目からもハウジング内に塵埃が侵入する可能性がある。このため、ハウジング内に侵入した塵埃が接点部２、３に詰まって導通不良等の不具合を引き起こす問題がある。
【課題を解決するための手段】
【０００４】
本発明の多方向入力装置は、一方が開口し底面に接点部を有するハウジングと、前記ハウジングに揺動操作可能に収納されたステムと、前記接点部と前記ステムとの間に配置され前記接点部上を覆う防塵部材と、前記防塵部材を保持する保持部材と、ハウジング開口部を覆うと共に前記ステムの操作端側を挿通口からハウジング外へ突出させた蓋体と、を具備することを特徴とする。
【０００５】
このように構成された多方向入力装置によれば、ハウジング内の接点部上を覆う防塵部材を設けたので、蓋体の開口部とステムとの隙間からハウジング内に塵埃が侵入した場合であっても、塵埃は防塵部材で遮断されることとなり接点部への侵入を確実に防止でき、塵埃に起因した導通不良等の不具合を防止できる。また、防塵部材は保持部材にて保持されるので防塵部材のはがれ又は浮き上りを防止できる。
【０００６】
本発明の多方向入力装置においては、前記保持部材は、前記ステムをハウジング内に組み込む際に当該ステムの下端に設けた押圧端部が前記接点部を押圧可能な位置に配置されるように当該ステムを位置決めする位置決め機能を備えることが望ましい。
【０００７】
このように、防塵部材を保持する保持部材がステムを位置決めする位置決め部材として機能することにより、ステムをハウジングへ組み込むときの位置合わせが容易となり、組立て作業の効率を改善できる。
【０００８】
本発明の多方向入力装置は、一方が開口し底面に接点部を有するハウジングと、前記ハウジングに揺動操作可能に収納されたステムと、前記接点部と前記ステムとの間に配置され前記接点部上を含むハウジング底面及びハウジング側壁内面の全てを覆う防塵部材と、ハウジング開口部を覆うと共に前記ステムの操作端側を挿通口からハウジング外へ突出させ、前記防塵部材の外縁部をハウジング開口部との間に挟み込む蓋体と、を具備することを特徴とする。
【０００９】
このように構成された多方向入力装置によれば、防塵部材の外縁部を蓋体とハウジング開口部との間に挟み込むので、防塵部材を保持する保持部材を別途用意することなく防塵部材を保持することができ、塵埃が接点部への侵入を確実に防止できる。防塵部材が保持部材としての機能も持つので、部品点数を削減でき、組立て作業の効率をさらに改善できる。
【発明の効果】
【００１０】
本発明によれば、塵埃がハウジング内の接点部へ侵入するのを確実に防止でき、塵埃に起因した導通不良等の不具合を防止できる多方向入力装置を提供できる。
【発明を実施するための最良の形態】
【００１１】
以下、本発明の多方向入力装置に係る実施の形態について図面を参照して具体的に説明する。
【００１２】
（実施の形態１）
図１は実施の形態１に係る多方向入力装置の構成を示す側断面図であり、図２は多方向入力装置の分解斜視図である。
【００１３】
ハウジング１０は全体が上方に開口を有する箱形状を有しており、内底面中央部には、第１中央固定接点１１を中心に第２、第３、第４、第５中央固定接点１２，１３，１４，１５が放射状に配設されている。図１には第１、第２、第３中央固定接点１１，１２，１３だけが現れている。各中央固定接点１１，１２，１３，１４，１５の周囲には、周縁固定接点１６が配設されている。図１には、周縁固定接点１６が部分的（１６ａ，１６ｂ，１６ｃ）に現れているが、１つの連続した接点で構成されている。第１中央固定接点１１上には、上方（ステム側）に膨出した可動接点ばね１７が載置されている。可動接点ばね１７の外周縁部を第１中央固定接点１１周囲に配設した周縁固定接点１６ａに載せることにより、第１中央固定接点１１と非接触の状態にする。また、第２中央固定接点１２上には、上方に膨出した可動接点バネ１８が載置されている。可動接点ばね１７の外周縁部の一部を第２中央固定接点１２の周囲に配設した周縁固定接点１６ｂに載せ、外周縁部の残りの部分はハウジング１０の底面に直接載せることにより、第２中央固定接点１２と非接触の状態にする。同様に、第３中央固定接点１３上にも、上方に膨出した可動接点バネ１９が載置され、可動接点バネ１９の外周縁部の一部が周縁固定接点１６ｃに載せられ、外周縁部の残りの部分はハウジング１０の底面に直接載せられている。図１には現れていない第４、第５中央固定接点１４，１５とその周囲に配設した周縁固定接点１６の一部との関係も第２、第３中央固定接点１２，１３と同様の構造となっている。上記各固定接点及び各可動接点ばねの組合せにより接点部を構成している。
【００１４】
本実施の形態においては、ハウジング１０の内底面中央部に設けた接点部に対し、その上面を覆う防塵部材２２が設けられている。防塵部材２２は、操作感触を妨げることのないように可撓性シートで形成することが望ましい。ハウジング１０には、上記接点部を設けた内底面中央部を囲むように段差部２３が形成されている。防塵部材２２はハウジング１０の内底面と略同形状に裁断されており、その周縁部を段差部２３に載置することにより内底面中央部、すなわち接点部の全面を覆うものとなっている。防塵部材２２のうち段差部２３に載置する周縁部には、粘着部２２ａを形成することが望ましい。防塵部材２２の粘着部２２ａを段差部２３に接着することにより、組立て時及び使用時の防塵部材２２のはがれや又は浮き上がりを確実に防止できる。また、細かな塵埃の侵入を確実に防止でき、取付けも容易に行えるものとなる。さらに、ハウジング１０を傾けても接点部が脱落するのを防止することもできる。
【００１５】
また、本実施の形態においては、防塵部材２２を保持すると共にステムの位置決め機能を持たせた保持部材２４が設置されている。保持部材２４は、ステムの最外径部よりも大きな内径を有し、かつハウジング１０の開口形状に合わせた外形を有する環状体をなしている。また、保持部材２４の厚さは、段差部２３に載置した状態でハウジング１０の上面よりも上方へ突出しない程度に設定されている。保持部材２４が持つステムの位置決め機能及び回転防止機能に係る構造については後述する。この保持部材２４をハウジング１０にはめ込むことにより段差部２３と保持部材２４の当接面との間に防塵部材２２の外周が挟み込まれ防塵部材２２が固定される。
【００１６】
ステムは、揺動入力用の第１ステム２５とセンタープッシュ用の第２ステム２６とで構成された二重ステム構造である。第１ステム２５の中心部には、上下方向にガイド孔２７が形成され、このガイド孔２７に第２ステム２６が挿通されている。第１ステム２５には、下方に向けて広がるスカート部２８が形成されており、スカート部２８の外周部は、略９０度間隔で外側へ延出した４つの押圧片２９，３０，３１，３２を有している。なお、図１には押圧片３１，３２は現れていない。４つの押圧片２９，３０，３１，３２は、、第２中央固定接点１２、第３中央固定接点１３、第４中央固定接点１４、第５中央固定接点１５上に載置した各可動接点ばね１８，１９，２０，２１の上面に配置されている。また、第１ステム２５に挿入した第２ステム２６の下端部は、第１中央固定接点１１上に載置した可動接点ばね１７の上面に配置されている。第２ステム２６の下端部外周には、鍔部３３が形成され、該鍔部３３をガイド孔２７の開口外縁に係合させることにより第２ステム２６の上方への抜けを防止している。
【００１７】
ハウジング１０の開口部は蓋体３４を被せることにより塞がれている。蓋体３４の中央部には、第１ステム２５のスカート部２８の外径に相当する広さの挿通口３５が形成され、該挿通口３５に第１ステム２５を挿通することにより、第１ステム２５の上部及び第２ステム２６の上半分をハウジング外部へ揺動操作可能に突出させている。ハウジング１０には、外周を囲むように側壁１０ａが立設されており、該側壁１０ａの上端面に対して蓋体３４が取り付けられている。ハウジング１０に取り付けた蓋体３４の挿通口３５に挿通した第１ステム２５は、そのスカート部２８が挿通口３５に角度を持って接触することにより上方向への抜けが防止される。また、第１ステム２５のスカート部２８は、下方に開いた形状であるので、第１ステム２５に傾倒方向の力が作用した場合、蓋体３４の挿通口３５内周部がスカート部２８のテーパ面上を摺動するので揺動操作の妨げとならない。
【００１８】
図３はハウジング１０に配設した各中央固定接点１１〜１５及び周縁固定接点１６の形成パターンを示す上面図である。各中央固定接点１１〜１５は、互いに独立しているが、周縁固定接点１６は、各中央固定接点１１〜１５の周囲に形成された１つの連続した接点で構成されている。外部機器の回路基板との接続用の端子３６ａ，３６ｂ，３６ｃ，３６ｄ，３６ｅは、各中央固定接点１１〜１５からハウジング１０の外部へそれぞれ引き出され、同じく端子３７は、周縁固定接点１６からハウジング１０の外部へ引き出されたコモン端子である。
【００１９】
図４は、図１（ａ）に示す多方向入力装置から蓋体３４を取り外した状態の上面図である。ハウジング１０は、上面開口が正方形の４角を丸めた形状をなしている。保持部材２４は、ハウジング１０の上面開口に合わせた外形を有していて、４角を丸めた正方形をなしている。すなわち、ハウジング１０の開口に対して保持部材２４が僅かな隙間を残してはめ込まれている。このため、保持部材２４はハウジング１０に対して機械的に位置決めされるものとなる。また、保持部材２４に対して回転力が作用してもハウジング１０の側壁１０ａ内面に保持部材２４の側壁が当接して保持部材２４の回転が規制される。一方、保持部材２４の中央部には、略正方向形で４角を丸めた形状の開口部３８が形成されている。第１ステム２５の４つの押圧片２９，３０，３１，３２は、それぞれ対応する開口部３８の４角にはまり込んで機械的に位置決めされるようになっている。すなわち、保持部材２４の開口部３８に第１ステム２５を挿入すると、第１ステム２５がハウジング１０の接点部に対して位置決めされるものとなる。第１ステム２５が保持部材２４によって位置決めされた状態では、図１に示すように、第１ステム２５の４つの押圧片２９〜３２は、クリック感を損なわぬようそれぞれ対応する可動接点ばね１８〜２１の膨出した頂部上に位置し、かつ第２ステム２６の下端部は、可動接点１７上に位置する。しかも、第１ステム２５に回転力が作用しても、押圧片２９〜３２はそれぞれ対応する開口部３８の４角にはまり込んでいるので、第１ステム２５に回転は完全に規制されることになる。
【００２０】
次に、図２を参照して本実施の形態に係る多方向入力装置の組立て作業について説明する。ハウジング１０の第１中央固定接点１１上に可動接点ばね１７が配置されるように可動接点ばね１７の外周縁部を周縁固定接点１６ａ上に載置する。本例では可動接点ばね１７は３枚重ねて使用している。可動接点ばね１７の重ね合わせ枚数により反発力を調整し適切なクリック感を得られるようにする。同様に、第２中央固定接点１２、第３中央固定接点１３、第４中央固定接点１４、第５中央固定接点１５上に各可動接点ばね１８，１９，２０，２１が配置されるように各可動接点ばね１８，１９，２０，２１を載置する。各可動接点ばね１８，１９，２０，２１は２枚重ねて使用している。次に、可動接点ばね１７〜２１上を覆う防塵部材２２を被せる。本例では粘着部２２ａを有する防塵部材２２を使用する。防塵部材２２の粘着部２２ａをハウジング１０の段差部２３に接着させる。これにより保持部材２４で防塵部材２２を押さえ込む前であってもはがれ又は浮き上がりがなくなる。次に防塵部材２２の外周部を抑え付けるように保持部材２４をハウジング１０にはめ込む。保持部材２４はハウジング１０の段差部２３に当接して、段差部２３との間に防塵部材２２の外周部（粘着部２２ａを含む）を挟み込む。これにより防塵部材２２は粘着部２２ａによる固定だけでなく、保持部材２４によってハウジング１０に対して固定されたことになる。次に、第１ステム２５のガイド孔２７に第２ステム２６を挿入し、当該組み合わされたステムを保持部材２４の開口部３８から挿入する。このとき、図４に示すように、第１ステム２５の４つの押圧片２９〜３２が、保持部材２４の開口部３８の４角と一致しないと、保持部材２４の開口部３８にステムをはめ込むことはできない。そして、第１ステム２５の４つの押圧片２９〜３２を保持部材２４の開口部３８の４角と一致させてはめ込むことで、ステムがハウジング１０の接点部に対して位置決めされることになる。次に、第１ステム２５及び第２ステム２６を蓋体３４の挿通口３５に挿通させて、当該蓋体３４をハウジング１０の開口部に取り付ける。蓋体３４の下面がハウジング側壁１０ａの上端面に当接したところで、挿通口３５の内周縁部が第１ステム２５のスカート部２８の外面に軽く触れる。蓋体３４の対向する２辺には、それぞれ一対の係合片３９が設けられ、該係合片３９には孔３９ａが形成されている。また蓋体３４の残りの２辺には、折曲げ片４１が形成されている。一方、ハウジング側壁１０ａの外周面には、孔３９ａに係合させる突起４２が設けられている。そして、係合片３９を折曲げて突起４２を孔３９ａに係合させると共に、折曲げ片４１をハウジング側壁１０ａの上端部に沿って折曲げる。以上の作業により多方向入力装置の組立てを完了する。
【００２１】
次に、以上にように構成された多方向入力装置の動作について説明する。
図１（ａ）はステムが中立位置にある状態を示し、図１（ｂ）は図１（ａ）に示す状態から矢印Ｘ方向にステムを傾倒させた状態を示している。
【００２２】
図１（ａ）に示す状態でステムを矢印Ｘ方向に傾倒させる力を作用させると、第２ステム２６を介して下支えされると共に蓋体３４の挿通口３５にて支えられた第１ステム２５が矢印Ｘ方向に揺動する。この結果、傾倒方向の押圧片２９が防塵部材２２の上から可動接点ばね１８を押圧する。可動接点ばね１８はある程度下方に押し込まれるとある時点で反転して逆側に反り返ることにより第２中央固定接点１２に接触する。可動接点ばね１８が反転するときに操作者はクリック感を得ることができる。可動接点ばね１８の反転により第２中央固定接点１２と周縁固定接点１６とが導通し、端子３６ｄに切換え信号が現れる。そして、このようにして得られた切換え信号を端子３６ａ，３６ｂ，３６ｃ，３６ｄ，３６ｅ及びコモン端子３７に接続された図示せぬ回路基板上のマイクロコンピュータなどで読み取って判別することにより、ステムの操作方向を検出することができる。
【００２３】
このとき、防塵部材２２を保持部材２４にてハウジング１０に対して圧接しているので、ステムに引っ張られて防塵部材２２が剥がれるのを防止することができる。また、段差部２３に掛かったシート外周縁を押圧するので、粘着部２２ａ（粘着しろ）を小さくすることができ、幅方向の小型化を図ることができる。
【００２４】
ステムを矢印Ｘ方向に傾倒させる力を解除すれば、可動接点ばね１８の復帰力により押圧片２９が押し返されてステムが初期状態に戻される。ステムを矢印Ｘ方向以外に傾倒させた場合も、傾倒方向の可動接点ばね（１９〜２１）が対応する押圧片（３０，３１，３２）で押し込まれある時点で反転して逆側に反り返ることにより各中央固定接点（１３，１４，１５）に接触する。これにより各中央固定接点（１３，１４，１５）と周縁固定接点１６とが導通し、対応する端子３６（ｂ，ｃ，ｅ）に切換え信号が現れる。また、第２ステム２６を下方に押圧すると（センタープッシュ）、第２ステム２６が可動接点ばね１７の弾性力に抗してガイド孔２７内を下方に摺動し防塵部材２２上から可動接点ばね１７を押圧する。可動接点ばね１７はある程度下方に押し込まれるとある時点で反転して逆側に反り返ることにより第１中央固定接点１１に接触する。これにより第１中央固定接点１１と周縁固定接点１６とが導通し、端子３６ａに切換え信号が現れる。
【００２５】
ここで、第１ステム２５をハウジング１０の接点部に対して位置決めするためには、保持部材２４がなければハウジング１０の側壁１０ａを利用することになる。そのため、本来ならば第１ステム２５の押圧片（２９〜３２）の先端部をハウジング１０の側壁１０ａ近くまで延長することになる。しかし、第１ステム２５の押圧片（２９〜３２）の先端部を延長すると、当該先端部と段差部２３等とが干渉してステムの揺動動作を妨げることになる。本実施の形態は、第１ステム２５をハウジング１０の側壁１０ａではなく、保持部材２４で位置決めするので、押圧片（２９〜３２）の先端部を延長する必要がなくなり短くすることができるので、ステムの揺動動作を妨げることなく、傾倒角度を大きくすることができる。
【００２６】
以上のように構成された本実施の形態によれば、ハウジング１０の内部に配設した接点部を覆う防塵部材２２を設けたので、蓋体３４とハウジング１０との合わせ目、第１ステム２５のガイド孔２７と第２ステム２６との接触部、さらに蓋体３４の挿通口３５と第１ステム２５との接触部等から塵埃がハウジング内に侵入しても防塵部材２２で遮断するので、接点部が塵埃に起因して動作不良を引き起こすのを防止できる。また、防塵部材２２を押さえる保持部材２４にてステムの位置決めを行うので、ステムの揺動動作を妨げることなく、傾倒角度を大きくすることができる。
【００２７】
（実施の形態２）
図５は本実施の形態２に係る多方向入力装置の側断面図である。ハウジング４０の底面には、複数の中央固定接点４１，４２，４３等が配設され、それら中央固定接点の周囲には、周縁固定接点４４が配設されている。各中央固定接点４１，４２，４３等の上には、可動接点ばね４５，４６，４７等が載置されている。各中央固定接点及び対応する可動接点ばねで接点部を構成する。ここまでの構成は上述した実施の形態１と同様である。
【００２８】
本実施の形態２においては、接点部を含むハウジング底面及びハウジング側壁内面の全面に底面及び側壁内面に沿うようにして防塵部材４８を設けている。防塵部材４８は接点部の操作感覚を妨げることのない可撓性のシートであることが望ましい。防塵部材４８の外縁部４８ａをハウジング４０の側壁４０ａの上面部と蓋体５０との間に挟み込むことにより、防塵部材４８の内側に異物（塵埃を含む）が侵入するのを防止している。これにより防塵部材４８に粘着部を設けなくても十分な防塵効果を期待できるものとなる。
【００２９】
ステムは揺動入力用の第１ステム５１とセンタープッシュ用の第２ステム５２とで構成される二重ステム構造である。第１ステム５１は中心部に上下方向に貫通するガイド孔５３を有し、該ガイド孔５３に第２ステム５２を挿通している。
【００３０】
図６は、図５に示す多方向入力装置から蓋体５０を取り外した状態の上面図である。ハウジング４０に形成した開口部は、略正方形であって四隅が外方へ半円状に膨らんだ形状をしている。一方、第１ステム５１の中央部には、外方へ広がるスカート部５１ａが形成され、スカート部５１ａの先端部は水平方向に延出してハウジング４０の開口部と相似形の４つの半円部５４ａ，５４ｂ，５４ｃ，５４ｄを一体形成している。第１ステム５１の４つの半円部５４ａ，５４ｂ，５４ｃ，５４ｄがハウジング４０の開口部にはまり込むことにより、第１ステム５１及び第２ステム５２の回転を防止機能及び位置決め機能を達成する。なお、各半円部５４ａ，５４ｂ，５４ｃ，５４ｄを含む第１ステム５１の外周部とハウジング４０の開口部との間には、防塵部材４８が挟み込まれる。このため、ハウジング４０の開口部と第１ステム５１の外周形状とは相似形であるが、第１ステム５１のサイズを防塵部材４８の肉厚に対応した分だけ小さくなっている。また、防塵部材４８の外縁部４８ａがハウジング４０の開口縁部上に折り曲げられている。したがって、ハウジング４０の開口部を塞ぐように蓋体５０を取り付ければ、防塵部材４８の外縁部４８ａがハウジング４０の開口縁部と蓋体５０との間に挟み込まれることとなる。また、各半円部５４ａ〜５４ｄの下面には、各々対応する可動接点ばね４６〜４９を押圧する突起部５５ａ〜５５ｄが設けられている。各突起部５５ａ〜５５ｄは、ステムを位置決めしたときに対応する可動接点ばね４６〜４９の真上に位置するように設定されている。なお、ハウジング４０の側面には、上記接点部の導通状態を出力する端子５６が引き出されている。
【００３１】
以上のように構成された多方向入力装置では、ステムを任意方向へ傾ける揺動操作を行うと、例えば図５に示す矢印Ｙ方向へ傾けると、第１ステム５１の半円部５４ａが下方へ変位して突起部５５ａが可動接点ばね４６を押圧する。可動接点ばね４６は押圧により反転しクリック感を操作者に与えて中央固定接点４２に接触する。この結果、対応する端子５６から導通状態を示す信号が出力される。
【００３２】
本実施の形態２の構成によれば、防塵部材４８の外縁部４８ａをハウジング４０の開口縁部と蓋体５０との間に挟み込んで固定するので、防塵部材４８の外周縁部４８ａに接着部を形成しなくても防塵部材４８とハウジング４０との隙間から異物が侵入するのを防止することができる。
【００３３】
本発明は上記実施の形態１，２に限定されず、種々変更して実施することが可能である。例えば、本実施の形態１，２においては、四方向と押し込み方向の多方向入力について説明しているが、本発明は、四方向以外の多方向と押し込み方向の多方向入力についても同様に適用することができる。その他、本発明の目的の範囲を逸脱しない限りにおいて適宜変更して実施することが可能である。
【図面の簡単な説明】
【００３４】
【図１】（ａ）は、実施の形態１に係る多方向入力装置であってステムが中立位置での側断面図であり、（ｂ）は、実施の形態１に係る多方向入力装置であってステムが傾倒時の側断面図である。
【図２】実施の形態１に係る多方向入力装置の分解斜視図である。
【図３】図１に示すハウジングの底面上面図である。
【図４】図１に示す多方向入力装置から蓋体を取り外した状態の上面図である。
【図５】実施の形態１に係る多方向入力装置の側断面図である。
【図６】図５に示す多方向入力装置から蓋体を取り外した状態の上面図である。
【図７】従来の多方向入力スイッチの側断面図である。
【符号の説明】
【００３５】
１０  ハウジング
１１  第１中央固定接点
１２  第２中央固定接点
１３  第３中央固定接点
１４  第４中央固定接点
１５  第５中央固定接点
１６  周縁固定接点
１７〜２１  可動接点ばね
２２  防塵部材
２３  段差部
２４  保持部材
２５  第１ステム
２６  第２ステム
２７  ガイド孔
２８  スカート部
２９〜３２  押圧片
３３  鍔部
３４  蓋体
３５  挿通口
３６  端子
３７  コモン端子
３８  開口部
３９  係合片
４８  防塵部材
【図１】
2006134792.tif 000003
【図２】
2006134792.tif 000004
【図３】
2006134792.tif 000005
【図４】
2006134792.tif 000006
【図５】
2006134792.tif 000007
【図６】
2006134792.tif 000008
【図７】
2006134792.tif 000009